(57)【要約】      （修正有）【課題】使用者と楽器との間の相対的な位置の改善された適合が可能となるような楽器サポートを提供する。【解決手段】楽器サポートにおいて、２つの保持要素３．１、３．２のうちの少なくとも一方の保持要素を保持部分３に支持する第１の支持異形材６が設けられており、この第１の支持異形材と保持要素との間に、長手方向軸線ｅの方向に延びる回動軸線ｄｘを有する回動用支持部Ｄｘが設けられており、この回動用支持部Ｄｘを介して、２つの保持要素の間の角度位置εが可変であり、かつ／またはブリッジが、使用者の身体部分に当付け可能である凸状の外面を有する湾曲させられた基本形状Ｇを有している。【選択図】図１
2020091480.tif 000002
【特許請求の範囲】
【請求項１】
楽器（８）を身体部分に当て付けるための楽器サポート（１）であって、長手方向軸線ｅを有するブリッジ（２）と、該ブリッジ（２）の端側にそれぞれ配置された第１の保持部分（３）および少なくとも１つの第２の保持部分（４）と、前記第１の保持部分（３）を前記ブリッジ（２）にそれぞれ異なる位置で支持することができる少なくとも１つの接続異形材（５）とを有しており、各々の前記保持部分（３，４）が前記楽器に当付け可能であり、前記第１の保持部分（３）が、前記楽器に固定可能である２つの保持要素（３．１，３．２）を有している、楽器サポート（１）において、
前記２つの保持要素（３．１，３．２）のうちの少なくとも一方の保持要素を前記保持部分（３）に支持する第１の支持異形材（６）が設けられており、該第１の支持異形材（６）と前記保持要素（３．１）との間に、前記長手方向軸線ｅの方向に延びる回動軸線ｄｘを有する回動用支持部Ｄｘが設けられており、該回動用支持部Ｄｘを介して、２つの保持要素（３．１，３．２）の間の角度位置εが可変であり、かつ／または前記ブリッジ（２）が、使用者の身体部分に当付け可能である凸状の外面（２．３）を有する湾曲させられた基本形状Ｇを有していることを特徴とする、楽器サポート（１）。
【請求項２】
前記第１の支持異形材（６）と前記保持要素（３．１）との間に、摺動軸線ｓｚを有する摺動用支持部Ｓｚが設けられており、該摺動用支持部Ｓｚを介して、２つの保持要素（３．１，３．２）の間の間隔ａが可変であることを特徴とする、請求項１記載の楽器サポート（１）。
【請求項３】
前記ブリッジ（２）が２つの部分から形成されていて、第１のブリッジ部分（２．１）と第２のブリッジ部分（２．２）とを備えており、前記長手方向軸線ｅに対して横方向に延びる回転軸線ｒｙを有する回転用支持部Ｒｙが設けられており、該回転用支持部Ｒｙを介して、２つのブリッジ部分（２．１，２．２）が、少なくとも１５０゜〜１８０゜の角度βだけ互いに旋回可能であることを特徴とする、請求項１または２記載の楽器サポート（１）。
【請求項４】
少なくとも一方の保持部分（４）がただ１つの保持要素（４．１）を有していることを特徴とする、請求項１から３までのいずれか１項記載の楽器サポート（１）。
【請求項５】
前記第２の保持部分（４）が少なくとも２つの保持要素（４．１，４．２）を有しており、該２つの保持要素（４．１，４．２）のうちの少なくとも一方の保持要素を前記保持部分（４）に支持する第２の支持異形材（７）が設けられており、該第２の支持異形材（７）と前記保持要素（４．１）との間に、回転軸線ｒｘを有する回転用支持部Ｒｘが設けられており、該回転用支持部Ｒｘを介して、２つの保持要素（４．１，４．２）の間の角度位置δが可変であることを特徴とする、請求項１から３までのいずれか１項記載の楽器サポート（１）。
【請求項６】
前記第２の支持異形材（７）と前記保持要素（４．１）との間に、変位軸線ｖｚを有する変位用支持部Ｖｚが設けられており、該変位用支持部Ｖｚを介して、２つの保持要素（４．１，４．２）の間の間隔ｂが可変であることを特徴とする、請求項５記載の楽器サポート（１）。
【請求項７】
前記接続異形材（５）と前記ブリッジ（２）との間に、前記長手方向軸線ｅに対して横方向に延びる並進軸線ｔｙを有する少なくとも１つの並進用支持部Ｔｙが設けられており、該並進用支持部Ｔｙを介して、前記少なくとも１つの接続異形材（５）が、変位可能に前記ブリッジ（２）に支持されており、前記保持部分（３）と前記ブリッジ（２）との間の間隔ｌが可変であることを特徴とする、請求項１から６までのいずれか１項記載の楽器サポート（１）。
【請求項８】
前記接続異形材（５）と前記ブリッジ（２）との間に、前記長手方向軸線ｅの方向に延びる傾倒軸線ｋｘを有する少なくとも１つの傾倒用支持部Ｋｘが設けられており、該傾倒用支持部Ｋｘを介して、前記接続異形材（５）が、それぞれ異なる角度位置αで前記ブリッジ（２）に固定可能であることを特徴とする、請求項１から７までのいずれか１項記載の楽器サポート（１）。
【請求項９】
前記摺動用支持部Ｓｚが前記回動用支持部Ｄｘと共に１つの共通の固定手段（６．３）を有しており、かつ／または前記傾倒用支持部Ｋｘが前記並進用支持部Ｔｙと共に１つの共通の固定手段（５．３）を有しており、かつ／または前記回転用支持部Ｒｘが前記変位用支持部Ｖｚと共に１つの共通の固定手段（７．３）を有しており、前記固定手段（５．３，６．３，７．３）を介して、各々の前記角度位置α，ε，δおよび各々の前記間隔ｌ，ａ，ｂが固定可能であることを特徴とする、請求項２から８までのいずれか１項記載の楽器サポート（１）。
【請求項１０】
前記変位用支持部Ｖｚおよび／または前記摺動用支持部Ｓｚが円弧状に形成されていることを特徴とする、請求項２から９までのいずれか１項記載の楽器サポート（１）。
【発明の詳細な説明】
【技術分野】
【０００１】
本発明は、楽器を身体部分に当て付けるための楽器サポートであって、長手方向軸線ｅを有するブリッジと、このブリッジの端側にそれぞれ配置された第１の保持部分および少なくとも１つの第２の保持部分と、第１の保持部分をブリッジにそれぞれ異なる位置で支持することができる少なくとも１つの接続異形材とを有しており、各々の保持部分が楽器に当付け可能であり、第１の保持部分が、楽器に固定可能である２つの保持要素を有している、楽器サポートに関する。
【背景技術】
【０００２】
特許文献１に基づき、剛性的なブリッジと、このブリッジに旋回可能に配置された複数の保持部分とを備えたギターサポートがすでに公知である。
【０００３】
特許文献２に基づき、ブリッジと、このブリッジに旋回可能に配置された保持部分とを備えたギターサポートが公知である。さらに、保持部分は旋回可能に配置されている。さらに、この保持部分において円弧状に変位可能である複数の保持要素が設けられている。
【先行技術文献】
【特許文献】
【０００４】
【特許文献１】米国特許第６２５２１５０号明細書
【特許文献２】欧州特許第１９６２２７３号明細書
【発明の概要】
【発明が解決しようとする課題】
【０００５】
本発明の課題は、使用者と楽器との間の相対的な位置の改善された適合が可能となるように楽器サポートを形成しかつ配置することである。
【課題を解決するための手段】
【０００６】
この課題は、本発明によれば、２つの保持要素のうちの少なくとも一方の保持要素を保持部分に支持する第１の支持異形材が設けられており、この第１の支持異形材と保持要素との間に、長手方向軸線ｅの方向に延びる回動軸線ｄｘを有する回動用支持部Ｄｘが設けられており、この回動用支持部Ｄｘを介して、２つの保持要素の間の角度位置εが可変であり、かつ／またはブリッジが、使用者の身体部分に当付け可能である凸状の外面を有する湾曲させられた基本形状Ｇを有していることによって解決される。
【０００７】
回動用支持部Ｄｘを備えた支持異形材によって、両保持要素を回動軸線ｄｘを中心として互いに相対的に回動させることができ、これによって、楽器への保持要素の更なる適合が可能となる。この適合によって、結果的に、楽器の向きの調整時もしくは楽器の位置決め時に、使用者に対して多くのゆとりが実現されている。使用者に対するこのゆとりは、凸状の外面を有するブリッジの使用によっても拡張される。なぜならば、ブリッジのこの構造形態の場合には、旋回中心点が楽器の近くに位置しているため、角度変化によって、楽器が側方にずれることなく、楽器が回転させられるからである。先行技術によるブリッジの構造形態の場合には、旋回中心点が大腿部よりも下側に位置している。楽器の角度変化によって、楽器の旋回半径に基づき、楽器が大幅に側方にずれてしまった。両方の解決特徴自体は、エルゴノミクスの改善を提供している。
【０００８】
支持異形材は、弾性的な中間部材として形成されていてもよい。保持要素に関する解決思想は、両保持要素が、回動軸線ｄｘおよび角度位置εに関連して、凸状の楽器ボディの表面もしくは凸状の楽器底部の表面のそれぞれ異なる曲率に適合可能となることに集約されている。このことは、弾性的な中間部材、例えば発泡材料またはこれに類するものによっても可能となる。回動軸線ｄｘは、好ましくは、長手方向軸線ｅの方向に延びているかもしくは長手方向軸線ｅの接線に対して平行に延びている。
【０００９】
このためには、第１の支持異形材と保持要素との間に、摺動軸線ｓｚを有する摺動用支持部Ｓｚが設けられており、この摺動用支持部Ｓｚを介して、２つの保持要素の間の間隔ａもしくは回動軸線ｄｘと一方の保持要素との間の間隔が可変であっても有利であり得る。したがって、回動軸線ｄｘに関連した適合に加えて、両保持部分の間隔に関連した適合も可能となる。したがって、楽器底部への更なる適合もしくは楽器底部への両保持要素の位置決めが可能となる。
【００１０】
さらに、ブリッジが２つの部分から形成されていて、第１のブリッジ部分と第２のブリッジ部分とを備えており、長手方向軸線ｅに対して横方向に延びる回転軸線ｒｙを有する回転用支持部Ｒｙが設けられており、この回転用支持部Ｒｙを介して、２つのブリッジ部分が、少なくとも１５０゜〜１８０゜の角度βだけ互いに旋回可能であると有利であり得る。したがって、楽器サポートを、伸ばされた位置から出発して内向きに畳むことができ、搬送目的のために、当初の長さの半分に減じることができる。これに相応して、楽器サポートを、この内向きに畳まれた位置から１８０゜だけ外向きに拡げることができる。ブリッジは長手方向軸線ｅに関連して、好ましくは剛性的に形成されている。
【００１１】
少なくとも一方の保持部分がただ１つの保持要素を有していても有利であり得る。基本的に、楽器を支持するためには、３つの保持部分の使用で十分である。
【００１２】
有利には、第２の保持部分が少なくとも２つの保持要素を有しており、これら２つの保持要素のうちの少なくとも一方の保持要素を保持部分に支持する第２の支持異形材が設けられており、この第２の支持異形材と保持要素との間に、回転軸線ｒｘを有する回転用支持部Ｒｘが設けられており、この回転用支持部Ｒｘを介して、２つの保持要素の間の角度位置δが可変であることを提案することができる。回転用支持部を含めて第２の保持部分に２つの更なる保持要素を使用することによって、楽器の重心を楽器サポートと共に使用者に対して最適に調整することができるように、楽器ボディへの適合が保証されている。
【００１３】
本発明に対しては、第２の支持異形材と保持要素との間に、変位軸線ｖｚを有する変位用支持部Ｖｚが設けられており、この変位用支持部Ｖｚを介して、２つの保持要素の間の間隔ｂもしくは回転軸線ｒｘと一方の保持要素との間の間隔が可変であることが特に重要であり得る。変位用支持部Ｖｚは、楽器ボディへの第２の保持部分の最適な適合を保証している。
【００１４】
本発明による構成および配置に関連して、接続異形材とブリッジとの間に、長手方向軸線ｅに対して横方向に延びる並進軸線ｔｙを有する少なくとも１つの並進用支持部Ｔｙが設けられており、この並進用支持部Ｔｙを介して、少なくとも１つの接続異形材が、変位可能にブリッジに支持されており、保持部分とブリッジとの間の間隔ｌが可変であると有利であり得る。並進用支持部Ｔｙは、左右の向きにおける楽器の傾きひいては空間軸ｚを基準とした傾きもしくは角度位置に関する最適な適合を保証している。
【００１５】
さらに、接続異形材とブリッジとの間に、長手方向軸線ｅの方向に延びる傾倒軸線ｋｘを有する少なくとも１つの傾倒用支持部Ｋｘが設けられており、この傾倒用支持部Ｋｘを介して、接続異形材が、それぞれ異なる角度位置αでブリッジに固定可能であると有利であり得る。傾倒用支持部は、組み付けられた楽器サポートと共に楽器の重心の最適な適合を保証している。使用者に向かって接続異形材を旋回させることによって、この全重心が使用者に向かって変位させられ、これによって、有利な保持が保証されている。
【００１６】
このためには、摺動用支持部Ｓｚが回動用支持部Ｄｘと共に１つの共通の固定手段を有しており、かつ／または傾倒用支持部Ｋｘが並進用支持部Ｔｙと共に１つの共通の固定手段を有しており、かつ／または回転用支持部Ｒｘが変位用支持部Ｖｚと共に１つの共通の固定手段を有しており、これらの固定手段を介して、各々の角度位置α，ε，δおよび各々の間隔ｌ，ａ，ｂが固定可能であると有利であり得る。それぞれ２つの支持部にただ１つの固定手段を使用することによって、楽器サポートの簡単かつ軽量な構造が保証されている。
【００１７】
さらに、変位用支持部Ｖｚおよび／または摺動用支持部Ｓｚが円弧状に形成されていると有利であり得る。変位用支持部Ｖｚもしくは摺動用支持部Ｓｚの円弧状の構成によって、空間軸ｚの方向での並進相対運動と、空間軸ｙの方向での位置の並進変化と、部分的な回動もしくは回転とが達成される。
【００１８】
本発明の更なる利点および詳細は、特許請求の範囲および明細書に説明してあり、図面に示してある。
【図面の簡単な説明】
【００１９】
【図１】楽器サポートの斜視図である。
【図２ａ】内向きに畳まれた状態における楽器サポートを示す図である。
【図２ｂ】部分的に内向きに畳まれた状態における楽器サポートを示す図である。
【図３】代替的な実施例の原理図である。
【発明を実施するための形態】
【００２０】
楽器８、例えばマンドリンを保持するための図１に示した楽器サポート１は、２つの部分から成るブリッジ２から形成されている。このブリッジ２は、長手方向軸線ｅと、第１のブリッジ部分２．１と、第２のブリッジ部分２．２と、外面２．３とを有している。ブリッジ２は、使用者の身体部分に当付け可能である凸状の外面２．３を有する湾曲させられた基本形状Ｇを有している。両ブリッジ部分２．１，２．２は、長手方向軸線ｅに対して横方向に延びる回転軸線ｒｙを有する回転用支持部Ｒｙを介して、少なくとも１５０゜〜１８０゜の角度βだけ互いに旋回可能である。使用の際には、この角度βが約１８０゜であり、搬送目的のために、両ブリッジ部分２．１，２．２を畳み合わせることができ、図２ａに認めることができるように、角度βを０゜に減じることができる。
【００２１】
ブリッジ部分２．１の端側には、脚片５．１と、対応する長孔５．２とを有する接続異形材５が設けられている。さらに、この接続異形材５には、楽器８に固定可能な第１の保持部分３が設けられている。この第１の保持部分３は、楽器８もしくは湾曲させられた楽器底部８．１に当付け可能である２つの保持要素３．１，３．２を有している。ブリッジ部分２．２の端側には、同じく楽器底部８．１に固定されたただ１つの保持要素４．１を有する保持部分４が設けられている。
【００２２】
接続異形材５は、並進軸線ｔｙを有する並進用支持部Ｔｙと、傾倒軸線ｋｘを有する傾倒用支持部Ｋｘとを介して、ブリッジ部分２．２に支持されている。さらに、接続異形材５は、保持要素３．１，３．２を有する保持部分３を調節可能に取り付けるために働く。したがって、保持部分３とブリッジ２との間の相対的な位置が、傾倒軸線ｋｘもしくは角度位置αに関連して可変となる。これに依存することなく、並進用支持部Ｔｙを介して、保持部分３とブリッジ２との間の間隔ｌが調整可能となる。
【００２３】
保持部分３は、保持要素３．２を取り付けるための脚片６．１を備えた第１の支持異形材６を有している。保持要素３．２は、回動軸線ｄｘを有する回動用支持部Ｄｘと、摺動軸線ｓｚを有する摺動用支持部Ｓｚとを介して、支持異形材６に支持されている。したがって、両保持要素３．１，３．２の相対的な位置が、回動軸線ｄｘもしくは角度位置εに関連して可変となる。これに依存することなく、摺動用支持部Ｓｚを介して、回動軸線ｄｘと保持要素３．１との間の間隔ａが調整可能となる。
【００２４】
第２の保持部分４も同じく、楽器８に当付け可能である２つの保持要素４．１，４．２を有している。保持部分４は、長孔７．２と、保持要素４．２を取り付けるための対応する脚片７．１とを有する第２の支持異形材７を有している。保持要素４．２は、回転軸線ｒｘを有する回転用支持部Ｒｘと、変位軸線ｖｚを有する変位用支持部Ｖｚとを介して、第２の支持異形材７に支持されている。したがって、両保持要素４．１，４．２の相対的な位置が、回転軸線ｒｘもしくは角度位置δに関連して可変となる。これに依存することなく、摺動用支持部Ｖｚを介して、両保持要素４．１，４．２の間の間隔ｂひいては回転軸線ｒｘと保持要素４．１との間の間隔が調整可能となる。
【００２５】
種々異なる支持部の術語は、図１に示したような３つの空間軸ｘ，ｙ，ｚを含む座標系に関連している。並進軸線は各空間軸の方向に延びている。回転軸線、旋回軸線または回動軸線は、各空間軸を取り囲むように延びている。
【００２６】
図２ａの実施例によれば、両ブリッジ部分２．１，２．２が畳み合わされている。このとき、角度βは０゜に減じられている。また、接続異形材５も両保持要素３．１，３．２と共に下向きに反転させられている。
【００２７】
第１の支持異形材６もしくは脚片６．１は、並進変位のための長孔６．２と、回転および固定のためのねじ締結部材６．３とを有している。長孔６．２は円弧状である。これによって、支持異形材６および脚片６．１の構造形態の適合が達成されているので、スペースを節約した構成および組立てが可能となる。この円弧状の構造形態は、支持異形材７に対しても設けることができる。
【００２８】
図２ｂの実施例によれば、両ブリッジ部分２．１，２．２は、部分的に開かれた／閉じられた中間位置にある。このとき、角度βは約１００゜である。
【００２９】
図２には、ブリッジ２もしくは各ブリッジ部分２．１，２．２の外面２．３に設けられたクッション１．１が示してある。
【００３０】
各保持要素３．１，３．２，４．１，４．２は吸盤として形成されていて、旋回用支持部Ｗｚを介して連結されている。この旋回用支持部Ｗｚは、円弧状の摺動用支持部もしくは円弧状の溝との組合せ支持部の一部である。円弧状の溝内には、各保持要素３．１，３．２，４．１，４．２もしくは各吸盤のネックがガイドされている。円弧状の摺動用支持部は、両空間軸ｘ，ｙの方向への並進成分を有している。
【００３１】
図３の実施例によれば、第２の保持部分４は、楽器底部８．１に位置固定されたただ１つの保持要素４．１しか有していない。保持部分４は、両空間軸ｘ，ｙの方向への並進成分を有する旋回用支持部Ｗｚしか有していない。
【００３２】
第１の保持部分３は、図１に概略的に示したように、接続異形材５と、支持異形材６と、両保持要素３．１，３．２とを有している。
【符号の説明】
【００３３】
１          楽器サポート
１．１      クッション
２          ブリッジ
２．１      第１のブリッジ部分
２．２      第２のブリッジ部分
２．３      外面
３          第１の保持部分
３．１      保持要素
３．２      保持要素
４          第２の保持部分
４．１      保持要素
４．２      保持要素
５          接続異形材
５．１      脚片
５．２      長孔
５．３      固定手段、ねじ締結部材
６          第１の支持異形材
６．１      脚片
６．２      長孔、円弧状
６．３      固定手段、ねじ締結部材
７          第２の支持異形材
７．１      脚片
７．２      長孔、円弧状
７．３      固定手段、ねじ締結部材
８          楽器
８．１      楽器底部
ａ          間隔
ｂ          間隔
Ｄｘ        回動用支持部
ｄｘ        回動軸線
ｅ          長手方向軸線
Ｇ          基本形状
Ｋｘ        傾倒用支持部
ｋｘ        傾倒軸線
ｌ          間隔
Ｒｘ        回転用支持部
ｒｘ        回転軸線
Ｒｙ        回転用支持部
ｒｙ        回転軸線
Ｓｚ        摺動用支持部
ｓｚ        摺動軸線
Ｔｙ        並進用支持部
ｔｙ        並進軸線
Ｖｚ        変位用支持部
ｖｚ        変位軸線
Ｗｚ        旋回用支持部、ｘ並進およびｙ並進との組合せ支持部
ｘ          空間軸
ｙ          空間軸
ｚ          空間軸
α          角度位置
β          角度
δ          角度位置
ε          角度位置
【図１】
2020091480.tif 000003
【図２ａ】
2020091480.tif 000004
【図２ｂ】
2020091480.tif 000005
【図３】
2020091480.tif 000006
【外国語明細書】
2020091480000001.pdf